(57)【要約】  空間領域（Ｓ）においてユーザの存在を監視および信号通知するためのシステムであって、前記ユーザに関連付けられた複数の端末（１０，１０'）を備え、前記端末（１０，１０'）が、前記空間領域（Ｓ）において、少なくともユーザの特性情報（Ｐ，Ｐ'）に関連付けられた特性部分（ｆｔ，ｆ'ｔ；ＰＫ，ＰＫ'）を含む信号を送信および受信するための無線送受信手段（３２）と、前記ユーザの特性情報（Ｐ，Ｐ'）を管理および格納するため、および前記送受信手段（３２）を介して前記特性情報（Ｐ，Ｐ'）を送信するために構成されたモジュール（３１）とを備え、前記送受信手段（３２）が、前記空間領域（Ｓ）においてブロードキャスティング・モードで短距離（Ｒ）での送信を行うように構成されることと、前記端末（１０，１０'）が、前記複数の端末（１０，１０'）に属し且つ前記空間領域（Ｓ）内に配置された第２の端末（１０'）によって短距離（Ｒ）で送信された前記信号の特性部分（ｆ'ｔ；ＰＫ'）の受信を信号通知するための手段（１１，１６，３３，３５）をさらに備える。
2007520094.tif 000002
【特許請求の範囲】
【請求項１】
空間領域（Ｓ）においてユーザの存在を監視および信号通知するためのシステムであって、
前記ユーザに関連付けられた複数の端末（１０，１０'）を備え、
前記端末（１０，１０'）が、前記空間領域（Ｓ）において、少なくともユーザの特性情報（Ｐ，Ｐ'）に関連付けられた特性部分（ｆｔ，ｆ'ｔ；ＰＫ，ＰＫ'）を含む信号を送信および受信するための無線送受信手段（３２）と、前記ユーザの特性情報（Ｐ，Ｐ'）を管理および格納するため、および前記送受信手段（３２）を介して前記特性情報（Ｐ，Ｐ'）を送信するために構成されたモジュール（３１）とを備え、
前記送受信手段（３２）が、前記空間領域（Ｓ）においてブロードキャスティング・モードで短距離（Ｒ）での送信を行うように構成されることと、
前記端末（１０，１０'）が、前記複数の端末（１０，１０'）に属し且つ前記空間領域（Ｓ）内に配置された第２の端末（１０'）によって短距離（Ｒ）で送信された前記信号の特性部分（ｆ'ｔ；ＰＫ'）の受信を信号通知するための手段（１１，１６，３３，３５）をさらに備えることとを特徴とするシステム。
【請求項２】
ユーザに関連付けられた端末（４５；１０”）のうちの少なくとも１つが、前記周囲の空間領域（Ｓ）内に配置された端末（１０，１０'）の特性情報（Ｐ，Ｐ'）を格納するためのデータベースを備える処理手段（４６，５１）に関連付けられることを特徴とする、請求項１に記載のシステム。
【請求項３】
前記端末（４５；１０”）が、電気通信網（５２）と通信してインタフェースするように構成されることを特徴とする、請求項２に記載のシステム。
【請求項４】
前記複数の端末が、空間位置に固定的に関連付けられ（１０”）且つ前記通信システム（５２）と通信する１つまたは複数の端末を備えることを特徴とする、請求項２または３に記載のシステム。
【請求項５】
前記データベース（５１）に、リモート端末（５３）を介して前記通信網（５２）を通してアクセス可能であることを特徴とする、請求項３または４に記載のシステム。
【請求項６】
前記端末が移動電話端末に関連付けられることを特徴とする、請求項１乃至５のうちの１項または複数項に記載のシステム。
【請求項７】
前記端末（１０，１０'；１０”；４５）が、英数字メッセージおよび／または音声を介して前記複数の端末に属する他の端末との通信をセットアップするのに適することを特徴とする、請求項１乃至６のうちの少なくとも１項に記載のシステム。
【請求項８】
前記英数字メッセージおよび／または音声がキーワードによって保護されることを特徴とする、請求項７に記載のシステム。
【請求項９】
前記端末（４５；１０”）または複数の端末（１０，１０'）が、前記空間領域（Ｓ）内で受信された信号を再送するために構成されることを特徴とする、請求項１乃至８の何れか１項に記載のシステム。
【請求項１０】
前記信号特性部分が、特性周波数図（ｆｔ，ｆ'ｔ）によって表されることを特徴とする、請求項１乃至９のうちの１項または複数項に記載のシステム。
【請求項１１】
前記信号特性部分（ＰＫ，ＰＫ'）が、特性数値パケット（ＰＫ，ＰＫ'）によって表されることを特徴とする、請求項１乃至９の何れか１項に記載のシステム。
【請求項１２】
前記特性数値パケット（ＰＫ，ＰＫ'）が、端末特性フィールド（Ａ，Ａ'）を備えることを特徴とする、請求項１１に記載のシステム。
【請求項１３】
前記特性数値パケット（ＰＫ，ＰＫ'）が、プロファイル特性フィールド（Ｂ１．．．Ｂ７，Ｂ１'．．．Ｂ７'）を備えることを特徴とする、請求項１１または１２に記載のシステム。
【請求項１４】
第２の端末（１０'）によって送信される前記特性フィールド（ｆ'ｔ，Ａ'）を格納するための手段（３１）に提供されることを特徴とする、請求項１２または１３に記載のシステム。
【請求項１５】
ツイン相互接続の機能を実施するように、第２の端末（１０'）によって送信される前記特性フィールド（ｆ'ｔ，Ａ'）を格納するための前記手段（３１）のための動作手段（１２，１７）を備えることを特徴とする、請求項１乃至１４のいずれか１項に記載のシステム。
【請求項１６】
前記格納手段（３１）が、第２の端末（１０'）によって送信される前記特性フィールド（ｆ'ｔ，Ａ'）をメモリ内に所与の時間保持するために構成されることを特徴とする、請求項１４または１５に記載のシステム。
【請求項１７】
第２の端末（１０'）によって送信される前記信号特性部分（ｆ'ｔ，ＰＫ'）の受信を信号通知するための前記手段（１１，１６，３３，３５）が、前記端末特性フィールド（Ａ，Ａ'）および／またはプロファイル特性フィールド（Ｂ１．．．Ｂ７，Ｂ１'．．．Ｂ７'）に応じて、前記第２の端末（１０）を識別する特定の信号を発信するために構成されることを特徴とする、請求項１乃至１６のうちの少なくとも１項に記載のシステム。
【請求項１８】
前記ユーザの特性情報（Ｐ，Ｐ'）が、種々のトピックの個人のプリファレンスに関する１つまたは複数の情報を含むことを特徴とする、請求項１乃至１７のうちの１項または複数項に記載のシステム。
【請求項１９】
空間領域においてユーザの存在を監視および信号通知するための方法であって、
端末がユーザに関連付けられ、前記端末が、前記空間領域（Ｓ）において、ユーザの特性情報（Ｐ，Ｐ'）に関連付けられた特性部分（ｆｔ，ｆ'ｔ；ＰＫ，ＰＫ'）を含む信号を無線モードで送受信し、前記空間領域（Ｓ）における前記送受信オペレーションがショートレイ・ブロードキャスティング・モードで実行されることと、端末（１０）における前記特性情報の受信がユーザに信号通知されることとを特徴とする方法。
【請求項２０】
前記受信された特性情報（Ｐ'）が端末（１０）に格納された特性情報（Ｐ）に全体的または部分的に対応する場合に前記信号通知オペレーションが実行されることを特徴とする、請求項１９に記載の方法。
【請求項２１】
第２の端末（１０'）の特性部分（ｆｔ，ｆ'ｔ；ＰＫ，ＰＫ'）に含まれる１つまたは複数の識別コード（Ａ'）を格納するオペレーションと、
端末結合のための「ツイン・モード」を定義するために、前記識別子（Ａ'）と全体的または部分的に一致する特性部分が受信された場合に信号通知に関係する前記オペレーションを実行するオペレーションとをさらに含むことを特徴とする、請求項１９または２０に記載の方法。
【請求項２２】
プリファレンス情報（Ｂ１．．．Ｂ７；Ｂ１'．．．Ｂ７'）が前記ユーザの特性情報（Ｐ，Ｐ'）に挿入されることと、受信されたプリファレンス情報（Ｂ１'．．．Ｂ７'）が端末（１０）に格納されたプリファレンス情報（Ｂ１．．．Ｂ７）と全体的または部分的に一致する場合に前記信号通知に関係するオペレーションが実行されることとを特徴とする、請求項１９または２０に記載の方法。
【請求項２３】
所与のユーザの特性情報（Ｐ，Ｐ'）と共に送信される信号特性部分の周波数の値（ｆｔ，ｆ'ｔ）として前記特性部分（ｆｔ，ｆ'ｔ；ＰＫ，ＰＫ'）を使用することにより、前記特性部分（ｆｔ，ｆ'ｔ；ＰＫ，ＰＫ'）が前記ユーザの特性情報（Ｐ，Ｐ'）に関連付けられるオペレーションをさらに含むことを特徴とする、請求項１９乃至２２の何れか１項に記載の方法。
【請求項２４】
空間領域（Ｓ）で使用可能な特性情報（Ｐ，４５）のセット中の特定のプリファレンス情報（Ｂ１．．．Ｂ７；Ｂ１'．．．Ｂ７'）から特定の情報が検索されるオペレーションをさらに含むことを特徴とする、請求項１９乃至２３の何れか１項に記載の方法。
【請求項２５】
前記ツイン・モードが、ツイン相互接続の機能を実施するために、第２の端末（１０'）によって送信された前記特性フィールド（Ａ'）を格納するための動作手段（１２，１７）を相互に実行するステップを含むことを特徴とする、請求項２１に記載の方法。
【請求項２６】
前記格納オペレーションが、第２の端末（１０'）によって送信される前記特性フィールド（ｆ'ｔ，Ａ'）を所与の時間メモリ内に保持するステップを含むことを特徴とする、請求項１９乃至２５のいずれか１項に記載の方法。
【請求項２７】
前記端末（４５；１０”）または複数の端末（１０，１０'）が、前記空間領域（Ｓ）内で受信される信号を再送するように構成されることを特徴とする、請求項１９乃至２６の何れか１項に記載の方法。
【請求項２８】
請求項１乃至１８に記載の空間領域（Ｓ）において、ユーザの存在を監視および信号通知するためのシステムで動作するため、および／または請求項１９乃至２６に記載の方法で動作するために構成されることを特徴とする、監視および信号通知端末。
【請求項２９】
空間領域（Ｓ）において少なくともユーザの特性情報（Ｐ，Ｐ'）に関連付けられた特性部分（ｆｔ，ｆ'ｔ；ＰＫ，ＰＫ'）を含む信号を送信および受信するための無線送受信手段（３２）と、
前記ユーザの特性情報（Ｐ，Ｐ'）を管理および格納するため、および前記送受信手段（３２）を介して前記特性情報（Ｐ，Ｐ'）を送信するために構成されるモジュール（３１）とを備え、
前記送受信手段（３２）が、前記空間領域（Ｓ）内で近接または接触検出で動作するように構成されることと、
前記端末（１０，１０'）が、前記複数の端末（１０，１０'）に属し且つ前記近接または接触空間領域（Ｓ）内に配置された第２の端末（１０'）によって送信された前記信号の特性部分（ｆ'ｔ，ＰＫ'）の受信を信号通知するための手段（１１，１６，３３，３５）をさらに備えることとを特徴とする、監視および信号通知端末。
【発明の詳細な説明】
【技術分野】
【０００１】
本発明は、空間領域においてユーザの存在を監視および信号通知するためのシステムに関する。
【背景技術】
【０００２】
人物の識別を困難にする百貨店、広場、またはディスコのような広い、または非常に混み合った場所にて人物を探す場合、その人物を識別し、連絡する必要が生じる場合がしばしばある。上記人物が未知の場合、または固有の特徴を備えた人物を探索している場合、連絡するのはさらに困難である。
【０００３】
連絡が必要な人々によって使用される通信端末に基づく識別システムが提案されてきた。
【０００４】
特に、後述の特許文献１は、中央ユニットを備える移動体ネットワークによって２台の端末を通信させるためのシステムを開示している。上記端末はユーザ・プロファイルを含むものとし、上記プロファイルが一致する場合に通信が実行されるものとする。特に、端末は、他の端末の位置も含む情報を受信するものとする。特にユーザ・プロファイルは、種々のトピックについての人物のプリファレンスに関する情報を格納するものとする。
【特許文献１】国際公開第０２／２１８６４号パンフレット
【発明の開示】
【発明が解決しようとする課題】
【０００５】
しかしながら、上記特許文献１に記載の手法と同様のソリューションは、高価で複雑な移動電話網を必要とするため、上記機能を自身のシステムで実施することができる現場で働くオペレータの介入を必要とする。
【０００６】
本発明は、特定の移動体ネットワークにおいて、電気通信網に組み込む必要のない、空間領域においてユーザの存在を監視および信号通知するための簡単なシステムを達成することを目的とする。
【課題を解決するための手段】
【０００７】
上記目的は、空間領域においてユーザの存在を監視および信号通知するためのシステムによって、ならびに添付の特許請求の範囲で具体的に言及された特徴を有する空間領域においてユーザの存在を監視および信号通知するための対応する方法によって達成される。本発明に係るシステムは、ユーザに関連付けられた複数の端末を備え、端末が、空間領域において、ユーザの特性情報に関連する少なくとも１つの特性部分を含む信号を送信および受信するための無線送受信（transreceiving）手段と、上記ユーザの特性情報を管理および格納するように、ならびに上記送受信手段を介して上記特性情報を送信するように構成されたモジュールとを備える。
【０００８】
次に、本発明について、単なる非限定的な例によって示された添付の図面を参照しながら説明する。
【発明を実施するための最良の形態】
【０００９】
図１は、参照番号１０で全体的に参照された、本発明による個人用の監視および信号通知の端末を示す。図１の個人用端末１０は、閉じた状態での外観図であり、閉じた時に個人用端末１０を制御するための信号灯１１および外部プッシュボタン１２を外部に備える。
【００１０】
図２は、開いた状態での個人用端末１０を示し、ヒンジ１５で結合された第１のハーフボディ１３および第２のハーフボディ１４で構成される。第１のハーフボディ１３はディスプレイ１６を備え、一方、第２のハーフボディ１４は英数字キーボード１７を備える。さらに、第１のハーフボディ１３は、破線で表された制御回路１８を内部に備える。
【００１１】
図３は上記制御回路１８のブロック図であり、制御回路１８は、基本的に、信号の入力および出力を行うマイクロコントローラと、これに好適なＲＡＭおよびＲＯＭメモリとを備える中央制御装置３１から構成される。上記中央制御装置３１は、英数字キーボード１７または外部プッシュボタン１２から入力される制御信号を受信する一方で、ディスプレイ１６および信号灯１１への出力を制御する。さらに、上記中央制御装置３１は、振動通知モジュール３３、電源３４、オーディオ・モジュール３５、およびＵＳＢタイプ・アクセスポート３６に関連付けられ、その結果、電源３４の再充電と、例えば個人用端末１０をコンピュータとインタフェースさせるための外部からの中央制御装置３１とのケーブル通信とを可能にする。
【００１２】
したがって、中央制御装置３１は、送受信モジュール３２に電気的に関連付けられる。
【００１３】
上記送受信モジュール３２は、送信・符号化モジュール４２ならびに受信・復号モジュール４３と並列に関連付けられたアンテナ４１を備える。送信・符号化モジュール４２は、特性コードを含む数値信号を送信するように構成される。特性コードが、例えば８などの所与のビット数にて２進コーディングされたものである場合、ユーザのプリファレンスを識別するために、ユーザ・プロファイルＰが得られるまで他の２進コード部分を特性コードに追加することが可能である。上記プロファイルは、ユーザの嗜好及び変化しない特性コードから構成されるユーザ識別子を含むプリファレンスに従い変更され得る。
【００１４】
このように２進モードに従って修正された上記ユーザ・プロファイルＰは、ディジタル短距離通信プロトコルにより数値パケットＰＫで送信することができる。
【００１５】
それ故、送信・符号化モジュール４２は、中央制御装置３１の制御下で動作する。中央制御装置３１は、そのメモリに含まれる情報、特に、中に格納されたユーザ・プロファイルＰに含まれる情報を処理することによって、２進モードに従って符号化されるべきパケットＰＫのフィールドの値を提供する。好ましい実施形態では、プロファイルＰとパケットＰＫのフィールドとの対応は、制御ユニット３１に格納されたルックアップ・テーブルによって取得されるが、使用可能な２進フィールドのセットと、ユーザ・プロファイルＰ内の情報グループとの間の関係を設定する任意の種類の図を使用することができる。
【００１６】
上記ユーザ・プロファイルＰは、例えば、音楽の好みまたは好きなスポーツなど、ユーザ・プリファレンスに関する情報を含む。最も簡単なバージョンでは、例えば「好きなスポーツはサッカー」などの各異なるプリファレンスについて、それらの特性値がパケットＰＫのフィールドに関連付けられる。
【００１７】
これとは対照的に、受信・復号モジュール４３は、個人用端末１０と同様の他の個人用端末１０'によって送信された信号を受信し、それらを復号して、上記復号オペレーションの結果をユニット３１に提供する。図４に示された他の個人用端末１０'は、自らの送信時には、一般に他の端末１０'のものと内容が異なるパケットＰＫ'を含むディジタル信号を送信することになる。図４から推測可能なように、他の個人用端末１０'は、個人用端末１０'から半径Ｒの距離内にある空間領域Ｓ内にある。
【００１８】
受信・復号モジュール４３は、他の端末１０'の中から特定の端末を識別するために、パケットＰＫ'あるいは受信したパケットの特定フィールドの検索も実行することができる。
【００１９】
提案された監視および信号通知システムによれば、送信・符号化モジュール４２ならびに受信・復号モジュール４３は、基本的に、連続的に動作しており、パケットＰＫを含む信号を発信し、また、空間領域Ｓ内に配置された他の端末１０'からパケットＰＫ'を含む信号を受信する。
【００２０】
第１のオペレーティング・モードによれば、空間領域Ｓ内に配置された他の端末１０'から個人用端末１０内で受信された信号のパケットＰＫ'が、中央制御装置３１のメモリ内に格納されたプロファイルＰの情報のうちの１つまたは複数に対応する情報を含んでいる場合、振動通知モジュール３３またはオーディオ・モジュール３５あるいは光インジケータ１１を通じて、存在通知がなされる。
【００２１】
個人用端末１０は、ＵＳＢタイプ・アクセスポート３６を使用するコンピュータを利用して、プロファイルＰと共にプログラミングすることができる。
【００２２】
送受信モジュール３２は、基本的に１００メートルを超えない距離の短距離ブロードキャスティング・モードで動作する。そのため、プロファイルＰに関連する対の端末の存在を知らせる信号は、こうした存在が上記距離内にあることを意味する。
【００２３】
したがって、個人用端末１０は、その独自のユーザのプロファイルＰと、あるいは単に検索されているプリファレンスのプロファイルと、部分的または完全に一致するプロファイルＰ'を含む同種（homologous）の端末が、所与の距離内に存在することを検出するように設計され、そして、必要であれば自動的に通信をセットアップするように設計される。実際のところ、個人用端末１０は、通信用に送受信モジュール３２を使用して、好適なマイクロフォンおよびラウドスピーカを備える通常の無線トランシーバとして動作するように構成することができる。
【００２４】
換言すれば、端末１０'側のプロファイルＰ'も同様に、単に「好きなスポーツはサッカー」の情報を含んでいれば、周囲の空間領域Ｓ内における他の個人用端末１０の存在に関する信号通知と、「好きなスポーツはサッカー」の情報を含むプロファイルの検索とを、アクティブ化することができる。
【００２５】
「プロファイル・モード」と呼ばれるこの第１のオペレーティング・モード以外に、個人用端末１０の他のオペレーティング・モードが可能である。
【００２６】
例えば、「ツイン・モード」と呼ばれるオペレーティング・モードでは、接続先として希望する可能性のあるユーザを識別する特定の特性コードを含むパケットＰＫ'を選択するように、中央制御装置３１の制御下で送受信モジュール３２を構成することができる。すなわち、個人用端末１０は、特定の特徴的な方法で、接続先として希望する可能性のある第２の特定の個人用端末１０'のパケットＰＫ'の受信を信号通知するために、英数字キーボード１７または外部プッシュボタン１２などの動作手段を介して設定される。接続は相互であるため、他の端末１０'も、例えば、同じ動作手段を所与の時間押すことによって、特定の特徴的な方法で、端末１０'によるパケットＰＫの受信を信号通知するように配置構成することになる。上記接続の結果、互いに接続された個人用端末１０および第２の個人用端末１０'が同じ空間領域Ｓ内にある場合、それぞれの対となる端末の存在は、その対の端末を識別する特徴的な視聴覚信号によって、例えば、信号灯１１により発光される特徴的な色の光によって、個人用端末１０および１０'の双方にて信号通知されることになる。上記接続状況は、例えば数日間のような限定された期間、継続することができる。
【００２７】
このようにして、上記オペレーティング・モードは、例えば、人混みの中で識別したい場合のある特定ユーザの存在を信号通知することができる。
【００２８】
「汎用モード」と呼ばれる他のオペレーティング・モードでは、たとえ個人用端末１０が、プロファイルに、つまりパケットＰＫ'に何らかの対応する方法で関連付けられていない場合であっても、何らかの同じタイプの他の個人用端末１０'がそのアクション領域内に存在するときに、個人用端末１０をアクティブ化するように設定することができる。この場合、個人用端末１０は、そのユーザ・プロファイルＰを送信するか、または空間領域Ｓ内に存在する他の個人用端末１０'のそれぞれからプロファイルＰ'を受信することができる。その結果、個人用端末１０は、ブロードキャスティング・モードの短距離ネットワークの端末となる。
【００２９】
個人用端末１０によって受信されたプロファイルＰ'は、中央制御装置３１のメモリ、または、個人用端末１０で使用可能な他のメモリ・リソースに格納することができる。特に、個人用端末１０を、そのハードウェア・リソースを活用または共有することができる移動体またはセルラ電気通信ネットワークの端末に組み込むことができる。特に、個人用端末１０は、移動体通信端末内に存在するＳＩＭカードのメモリ・リソースを活用することができる。個人用端末１０は、アクセス・ポート３６を使用して、処理中のパーソナル・コンピュータに接続することができ、個人用端末１０に格納された上記プロファイルをファイルすることができる。
【００３０】
「汎用モード」では、個人用端末１０は、プロファイルまたはメッセージを、その時点でのアクション領域内、すなわち空間領域Ｓ内にある、すべての個人用端末１０'に、またはプロファイルＰが関係する範囲で対応する端末、あるいは「ツイン・モード」で接続された端末に送信することもでき、上記端末は信号を再送してカバー領域を広げることができる。有利なことには、上記モードは、ディスコ、コンサート、歩道、市街地、休日のリゾート地、遊園地などの、多くのユーザがいる場所で、プロファイルＰまたは「ツイン・モード」での接続を通して関係するユーザを選択し、メッセージを即時にブロードキャストすることができる。
【００３１】
図６Ａおよび図６Ｂは、ディジタル・ショートレイ（short-ray）接続におけるプロファイルＰおよびＰ'を表す数値パケットを示す。
【００３２】
図６ＡにおいてＰＫは、以下のようなそれぞれ８ビットで構成される８つのフィールドを備える数値パケットを表す。
−特性フィールドＡ、すなわち、「特徴的な」数値コードに関するフィールド：各個人用端末１０は、特性フィールドＡ内に、変更不可能であり且つそれ故に同じタイプのすべての他の端末と区別する８ビットの値の工場出荷時設定を有する。
−プロファイル・フィールドＢ１，．．．，Ｂ７、すなわち、プロファイルに関するフィールド：これらは、たとえば事前に定義されたリストから選択されたプリファレンスに従い変化する。このプリファレンスは、例えば前述のルックアップ・テーブルに対応する。
【００３３】
上記プリファレンスの事前に定義されたリストの内容は、以下のとおりとすることができるが、これに限定されない。
端末Ａ：１０１１０１００
Ｂ１  音楽バンド：デペッシュ・モード
Ｂ２  チーム：ユベントス
Ｂ３  夢中になっていること：映画
Ｂ４  休暇：トロペア
Ｂ５  性別：男
Ｂ６  職業：学生
Ｂ７  趣味およびスポーツ：バレー
連絡先：tricky88@lop-web.net
【００３４】
個人用端末１０は、定期的な間隔で、またはカバーされている空間領域Ｓ内での検索機能を使用して、パケットＰＫ内の体系化された数値情報を送信する。
【００３５】
他の端末１０'は、図６Ｂに示され、特性フィールドＡ'および対応するプロファイル・フィールドＢ１'，．．．，Ｂ７'を備える同じ数値形式を有する他のパケットＰＫ'を送信することになる。
【００３６】
２つの端末１０および１０'は、それぞれ、数値パケットＰＫおよびＰＫ'を明らかに受信および復号できることになる。
【００３７】
それ故、固定フィールド、すなわち特性フィールドＡと、ユーザが調整することができるフィールド、すなわちフィールドＢ１．．．Ｂ７とが存在する。
【００３８】
以下の場合に、２つの端末１０および１０'の間で他のデータの結合および／または送信が発生する。
−フィールドＢ１．．．Ｂ７の中の１つが、フィールドＢ１'．．．Ｂ７'の中の１つに対応する場合：これは、「プロファイル・モード」を特徴付ける類似性による結合であり、プロファイル・フィールド内の同種のフィールドの存在は、プロファイル特性のリスト内での同じ選択肢を表す。
−特性フィールドＡが特性フィールドＡ'に「結合される」場合：これは、双方の合意により受信中に他方の特徴的数値コードにそれぞれ同意する、２人のユーザ間での以前の同意による「ツイン・モード」による結合である。この調整は、例えば１５日間のような所与の期間アクティブであり、その後で、接続が更新されない場合は消滅する。
【００３９】
このほか、前述の２つのモード以外に、「汎用モード」で、個人用端末１０'をそのパケットＰＫ'の内容にかかわらず検出することができる。
【００４０】
個人用端末１０は、その短距離送受信が実行可能である限り、さらに、以下に対して情報を送信することができる。
−他方の同意している端末１０'（特性フィールドＡ、ツイン・モード）
−他方の同様の端末１０'（プロファイル・フィールドＢ１．．．Ｂ７、プロファイル・モード）
−すべての同様の端末１０'（プロファイル・フィールドＢ１．．．Ｂ７、プロファイル・モード）
【００４１】
代替実施形態によれば、送受信モジュール３２はアナログ・モードで動作可能であり、且つ、個人用端末１０の特性周波数である送信周波数ｆｔで動作する送信モジュールを備える。上記特性周波数ｆｔの値は、一般に、制御ユニット３１に格納されたユーザ・プロファイルＰの、特にユーザを識別する特性コードの関数である。すなわち、送信モジュールは、ユーザのプロファイルＰに含まれる情報を処理することによって特性周波数ｆｔの値を設定する、上記中央制御装置３１の制御下で動作する。好ましい実施形態では、プロファイルＰと特性周波数ｆｔとの対応は、制御ユニット３１に格納されたルックアップ・テーブルによって取得されるが、使用可能な周波数セットと、ユーザ・プロファイルＰ内の情報グループとの間の関係を設定する任意の種類の図を使用することができる。
【００４２】
これとは対照的に、受信モジュールは、特性周波数ｆｔ付近の帯域Ｂでの受信時に動作する、個人用端末１０と完全に同様の他の個人用端末１０'によって送信された信号を受信する。図４に示された上記他の個人用端末１０'は、通常は互いに異なる独自の特性周波数ｆ'ｔで送信することになる。
【００４３】
受信モジュールは、送信周波数ｆｔ付近の帯域Ｂでの受信時に、個人用端末１０の帯域内で送信された信号を識別するために周波数スキャンを実行することもできる。
【００４４】
送信モジュールおよび受信モジュールが、数値信号ではなく特性周波数を介して動作する場合、ディジタルの場合のパケットＰＫにおいて、特性フィールドＡおよびプロファイル・フィールドＢ１．．．Ｂ７を介して実行されるものと基本的には同じ分割を適用し、異なる時間の周波数に合わせて変調すること、すなわち、異なる値の周波数で異なる期間に信号を送信することが可能であることに留意されたい。
【００４５】
本発明の他の態様によれば、図４の番号４５で表された公衆アクセス端末を提供することができ、この端末は、送受信モジュール３２を備えるが、例えばコンピュータ４６のファイル機能を備えるデータベースを含むメモリ手段にも関連付けられる。上記端末４５は、格納されたプロファイルを個人用端末１０からダウンロードできるように、あるいはファイルされたプロファイルの中から検索できるように、公衆アクセス域に配置される。個人用コンピュータは、プロファイルがダウンロードすることができる公用ファイルとして動作することができ、所与の特徴を有するユーザを検索することができる。ファイルとして動作する上記公衆アクセス端末４５は、異なるプロファイル間の類似性を評価するように設計することもできる。
【００４６】
より詳細には、上記公衆アクセス端末４５は、専用の個人用端末１０を公衆アクセス端末４５に近づけることによってユーザによりダウンロードされるユーザ・データおよびプロファイルを含むように設計される。上記オペレーションは、自動化するか、または許可を必要とすることができる。「汎用モード」が選択されたら、ユーザが近くにいるときに自動的にローカルファイルにダウンロードすることができる。あるいは、上記ファイルに接続されたサイトであり且つログインして自己のデータを他者のデータと共有することに同意したサイトからダウンロードすることができる。
【００４７】
ユーザは、自分専用の個人用端末１０を、ローカルファイルとして動作しているこれら公衆アクセス端末４５の１つに近づけることができ、例えば、ログインしている、および／または今後のコンサートに参加する予定のファンがいるかどうかを確かめるために、デペッシュ・モードなどのキーワードで検索する。そして、上記検索に対応するプロファイルおよびデータを自分専用の端末１０にダウンロードすることができる。
【００４８】
上記公衆アクセス端末４５は、その時点で関係する空間領域内にある個人用端末１０が、フリーメッセージまたは特定の個人用端末１０上でのみ表示することができるメッセージと対話することができる共通プラットフォームを提供することができる。上記公衆アクセス端末４５は、コンサートまたは販売店などの、個人用端末１０を備えたユーザがよく訪れる場所に移動して設置することができる。
【００４９】
個人用端末１０および１０'が、通信トラヒックを管理する中央ユニットを必要とせず、短距離ブロードキャスティングを使用して監視および信号通知ネットワークを定義するので、いずれにせよ公衆アクセス端末４５の共通プラットフォーム機能は追加機能である。
【００５０】
上記で述べたように、個人用端末１０は、マイクロプロセッサおよびメモリ・リソースと送受信回路の一部を共有することができる移動電話端末に組み込むことができる。例えば、現在移動電話が装備しているブルートゥース・チャネル用の無線周波数トランシーバを、ブロードキャスティング・チャネルも送信するために、またはその代わりとして使用することができる。
【００５１】
図５を参照しながら開示される他の実施形態によれば、個人用端末１０および１０'と同じ原理に従って動作する、すなわち特性周波数の受信によって特性プロファイルを検出することができる固定端末１０”を、例えば、高速道路の料金所などの所与の区域に配布することができる。固定端末１０”は、例えば、ＵＭＴＳ移動体ネットワークなどの好適な通信ネットワークを介して個人用端末１０およびそれらのプロファイルＰを検出することによりユーザの通行を格納する、サーバ５１と通信する。
【００５２】
サーバ５１には、位置をチェックする必要がある人物の個人用端末１０が、固定端末１０”が配置されている所与の地点を通過したかどうかを検証するために、インターネット５２およびパーソナル・コンピュータ５３を介してアクセスすることができる。上記モードの場合、個人用端末１０は自動車の車内に設置することもできる。
【００５３】
上記ソリューションにより、既知のソリューションに関する多くの利点を得ることができる。
【００５４】
本発明のシステムは、有利なことに、特にトラヒックを管理するための中央ユニットを活用する複雑な通信システムを使用せずに、所与の空間領域内での特定の特徴を備えたユーザの存在を監視および信号通知することができる。提案されたシステムは、有利なことに、無線短距離伝送によって画定された制限幅を有する領域で、ブロードキャスティング・モードで動作する。
【００５５】
さらに有利なことには、本発明のシステムは、ユーザの設定による各個人用端末に特性信号を割り当てることができる。
【００５６】
提案されたシステムは、学校の生徒間での通信用の安価で簡単な機器として若者たちが社交的に活用する場合、または、ディスコ、コンサート、集会、および他の公共的なイベントなどの人が集まる場所において、特に有利である。
【００５７】
いうまでもないことだが、本発明の基本的な観念は同じままであるが、構造上の詳細および実施形態は、これまで単なる例として説明および図示してきた内容に関して、本発明の枠組みを逸脱することなく、広範囲にわたって変更することができる。
【００５８】
個人用端末は、例えば事故や病気の場合に役立つ医療情報など、ユーザのプリファレンス以外の情報を含むことができる。
【００５９】
例えば誘導性通信チャネルを使用するなど、個人用端末に近接近アクティブ化機能を実施することも可能である。これは、例えば、同じ特性周波数を有する個人用端末のペアが提供され、これらが接近するかまたは連絡し合った場合にアクティブ化するというペア様モードで有用であると考えられる。
【００６０】
同様に、対応するプロファイルを備えた他の個人用端末が接近するかまたは連絡し合った場合に個人用端末がアクティブ化するように、この連絡機能を「プロファイル・モード」で実施することもできる。
【００６１】
好ましくは、連絡を取り合うかまたは接近する上記端末は、ブレスレット、ペンダント、指輪、またはピアスのピンなどの小型の物体に組み込まれる。このように小型化された上記端末には、そのサイズに応じて、電気系統からあるいは運動または振動エネルギーの自動蓄積メカニズムを使用して再充電されるバッテリを介して電力が供給される。
【００６２】
送信および受信モジュールは、例えば、双方向ブロードキャスティング・モードで、例えば、３１５、８３８、および４３４ＭＨｚの周波数で動作することができる。後者の周波数帯域は、リモート・コントロールなどの他の日常的な用途にすでに使用されているため、特に有用であり、本発明の要件に合わせて構成される安価なトランシーバもすでに市販されている。
【００６３】
可能な変形形態によれば、ユニットは、それぞれ他の端末の存在を検出するための基本的に連続して動作する低電力消費のトランシーバ、および他の端末との通信を管理するための高電力消費のトランシーバの２つ以上のトランシーバを装備することができる。それ故、バッテリの寿命を延長させることができ、これによって端末のアクション領域内でブロードキャスト信号を連続して検出することができる。
【００６４】
他の可能な変形形態によれば、送信されるメッセージまたはプロファイルは「公開」タイプとすることができ、すなわち、ブロードキャスト情報を保護するために、それらに関連付けられたキーワードさえ知っていればその内容を読むことができる。
【００６５】
他の可能な変形形態によれば、類似性による結合は、非互換性による結合として補完的に考案することができ、すなわち、２台の端末を、プロファイルの存在および／または非互換として格納されるプロファイル内の特性を信号通知するように構成することができる。例えば、特に特定の信号を介してサッカーの相手チームのサポータの存在を信号通知することが可能であり、あるいは、ツイン結合の期限が満了したかまたは更新されない場合、ツイン化が更新されていない２台の端末間に非互換特性が自動的に生じることにもなる。
【図面の簡単な説明】
【００６６】
【図１】提案されたシステムの端末の閉じた状態を示す図である。
【図２】提案されたシステムの端末の開いた状態を示す図である。
【図３】図１の端末の制御回路を示す配置ブロック図である。
【図４】本発明のシステムを示す配置図である。
【図５】図４のシステムへの変形を示す配置図である。
【図６Ａ】図３の制御回路によって使用される信号形式を示す図である。
【図６Ｂ】図３の制御回路によって使用される信号形式を示す図である。
【図１】
2007520094.tif 000003
【図２】
2007520094.tif 000004
【図３】
2007520094.tif 000005
【図４】
2007520094.tif 000006
【図５】
2007520094.tif 000007
【図６Ａ】
2007520094.tif 000008
【図６Ｂ】
2007520094.tif 000009
【国際調査報告】
2007520094.tif 000010
2007520094.tif 000011
2007520094.tif 000012